(57)【要約】【課題】ロータブレード装着システムを提供すること。【解決手段】ホイールフックを有するホイールダブテール溝は、装着ブレードのブレードフックを保持する。溝の上側凹型区域における対向する弓形切り欠き部は、組立ゲートを形成することができる。ブレードフックは、第１の向きで溝内に挿入され、組立ゲートにおいて第２の向きに回転されて、所定位置まで滑動することができる。ブレードは、隣接するバケットダブテール間でシムにより固定することができる。ブレード先端カバーブロックを含め、カバーを形成することができる。全てのブレードは、実質的に同一とすることができ、組立ゲートにおいて特別な装着装置を必要としない。【選択図】      図１
2013139769.tif 000002
【特許請求の範囲】
【請求項１】
ブレード装着システムであって、
ブレードフック部を有するバケットダブテールを含むブレードと、
ロータ内に形成されて前記バケットダブテールの形状と相補的な形状を有し、組立ゲートを含むホイールダブテール溝と、
を備え、前記バケットダブテールが、前記ブレードフック部が前記組立ゲートを通り抜ける第１の向きと、前記ブレードフック部が前記ホイールダブテール溝によって保持される第２の向きとを有するように構成されており、前記バケットダブテールが更に、前記組立ゲートにおいて前記第１の向きと前記第２の向きとの間で回転し、前記ホイールダブテール溝内の別の位置にて回転を抑えて拘束できるように構成されている、ブレード装着システム。
【請求項２】
前記ホイールダブテール溝が更に、
前記ロータにおいて実質的に円周方向の溝と、
前記バケットダブテールのブレードフック部を受け入れるように構成されたホイールフック部と、
前記溝の開口よりも狭いギャップを形成し且つ前記バケットダブテールのブレードフック部を係合するよう前記溝内に形成された対向するホイールネック肩部と、
前記溝の開口にて対向する上側凹型区域と
を含み、前記組立ゲートが前記上側凹型区域の拡大部である、請求項１記載のブレード装着システム。
【請求項３】
前記拡大部が、実質的に弓形の輪郭を各々が有する対向する切り欠き部を含む、請求項２記載のブレード装着システム。
【請求項４】
前記バケットダブテールのブレードフック部が、前記バケットダブテールの第２の向きで前記溝の対向するホイールネック肩部によって保持されるよう構成されたブレードフック肩部を含む、請求項３記載のブレード装着システム。
【請求項５】
前記バケットダブテールは、該バケットダブテールが第２の向きに回転して前記溝内の前記上側凹型区域の他の場所により回転を抑えて拘束されたときに、前記組立ゲート切り欠き部を通って通過するよう構成された対向する上側肩部を含む、請求項３記載のブレード装着システム。
【請求項６】
前記上側肩部が平行四辺形断面を有し、前記断面の対角線が、前記組立ゲートの切り欠き部の曲率半径の２倍に実質的に等しい、請求項５記載のブレード装着システム。
【請求項７】
前記第１の向き及び第２の向きが、前記組立ゲート及び前記ホイールダブテール溝に対して前記バケットの回転が異なり、該回転差は前記上側肩部の断面の角度に等しい、請求項６記載のブレード装着システム。
【請求項８】
前記ブレードが、前記バケットダブテールから先端まで延びる本体を含み、前記先端が、隣接するブレードの隣接カバーブロックを係合するよう構成されたカバーブロックを支持する、請求項１記載のブレード装着システム。
【請求項９】
前記バケットダブテールを共に押し付け合うよう隣接するバケットダブテール間に挿入されるシムを更に備える、請求項８記載のブレード装着システム。
【請求項１０】
ロータブレード装着装置であって、
実質的に円筒形表面を有するロータと、
前記実質的に円筒形表面を通って前記ロータ内に形成され、前記ロータ内の実質的に円周方向の溝と、ホイールネック肩部と、前記溝の開口における上側凹型区域とを含むホイールダブテールと、
バケットダブテールを含むロータブレードと
を備え、前記バケットダブテールが、前記ロータブレードを支持し且つ前記ホイールダブテール内で該ホイールダブテールにより半径方向移動を抑えて保持されるように構成され、
前記ロータブレード装着装置が更に、
前記ホイールネック肩部によって前記ホイールダブテール溝と係合し且つこれから出ないように保持されるよう構成された前記バケットダブテールのブレードフック肩部と、
前記ホイールネック肩部に少なくとも部分的に載るように構成された前記バケットダブテールの上側肩部と、
前記ホイールダブテール溝の上側凹型区域に形成された切り欠き部を含む組立ゲートと
を備え、前記切り欠き部が、前記バケットダブテールの第１の向きで前記ブレードフック肩部が前記ホイールダブテール溝に挿入できるようにし、且つ前記バケットダブテールが第２の向きに回転されたときには前記上側肩部が通過できるように構成されている、ロータブレード装着装置。
【請求項１１】
前記切り欠き部が、前記バケットダブテールの上側肩部を受け入れるようなサイズにされた実質的に弓形部分を含む、請求項１０記載の装置。
【請求項１２】
前記ホイールダブテール溝が、対向するホイールネック肩部及び対向する上側凹型区域を含み、前記組立ゲートが、対向する弓形部分を有する対向する切り欠き部を含み、前記バケットダブテールが対向する上側肩部を含み、前記対向する弓形部分が各々、前記上側肩部の対向するコーナーの第１のペア間の対角線の実質的に藩部の曲率半径を有するよう構成される、請求項１１記載の装置。
【請求項１３】
前記ホイールダブテールが、内部接線方向ダブテールを含む、請求項１０記載の装置。
【請求項１４】
前記ロータブレードの先端においてカバーブロックを更に備える、請求項１０記載の装置。
【請求項１５】
前記カバーブロックが、隣接するロータブレードの隣接するカバーブロックを係合するよう構成される、請求項１４記載の装置。
【請求項１６】
ロータであって、
ロータ本体の実質的に円筒形表面と、
前記実質的に円筒形表面において実質的に円周方向の溝を含むホイールダブテールと、
ブレードフック部を有するバケットダブテールを各々が含み、該バケットダブテールが、前記ブレードフック部を前記溝に挿入することができる第１の向きと、前記ブレードフック部が前記溝内に保持され且つ該溝内で回転を抑えて保持される第２の向きとを有する複数の実質的に同一のロータブレードと
を備え、前記各バケットダブテールが、前記ブレードフック部においてブレードフック肩部と、前記バケットダブテールの上側部分において上側肩部とを含み、
前記ロータが更に、
前記溝のホイールフック部と前記溝の上側部分との間で前記溝内に形成された対向するホイールネック肩部を備え、該ホイールネック肩部が、それぞれのブレードフック肩部を介して各ロータブレードのそれぞれのブレードフック部を保持するよう構成されており、
前記ロータが更に、
前記溝の先端部分に形成され、前記各バケットダブテールのそれぞれの上側肩部を回転を抑えて保持するよう構成された対向する上側凹型区域と、
前記バケットダブテールが前記溝内に保持される第２の向きに該バケットダブテールが回転されたときに、前記各バケットダブテールの上側肩部が通過できるよう構成された前記溝内の組立ゲートと
を備える、ロータ。
【請求項１７】
前記組立ゲートが、前記上側凹型区域内に形成された対向する切り欠き部を含む、請求項１６記載のロータ。
【請求項１８】
前記切り欠き部が各々弓形輪郭を有する、請求項１７記載のロータ。
【請求項１９】
前記各切り欠き部が、前記上側肩部の対向するコーナー間の距離の半分に実質的に等しい曲率半径を有する、請求項１８記載のロータ。
【請求項２０】
前記各バケットダブテールの上側肩部が平行四辺形断面を有し、前記上側肩部の対向するコーナー間の距離が前記断面の対角線である、請求項１９記載のロータ。
【発明の詳細な説明】
【技術分野】
【０００１】
本開示は、全体的に、ロータ組立体に関し、より詳細には、タービンロータにおけるブレード又はバケット装着に関する。
【背景技術】
【０００２】
ロータは、ホイールと呼ばれることが多い複数のブレード又はバケットを含み、該ブレード又はバケットの根元は通常、シャフト又は同様のものなどの回転本体上に装着される。各ブレード又はバケット根元は、通常はブレードが溝内で滑動できるが溝から外に出ることができないように本体内の溝に装着されたときに半径方向の動きを抑えて保持される形状にされた輪郭を含むことができる。例えば、ブレード根元及び溝は、バケット又はブレードフックと、溝内にバケットダブテールを保持するよう協働するホイールフックとを有する相補的なダブテールを含むことができる。バケット根元を溝に挿入可能にするために、典型的にはブレードフック領域が切り開かれて組立ゲートを形成する。組立ゲートは、一般に、外周に沿った１つのバケット幅である。組立ゲートにおいてブレードを保持するために特定の機構を作る必要がある。組立ゲートは通常、溝内でホイールフックを貫通し、ゲート区域の耐荷重能力を低下させる可能性がある。加えて、ロータのバランス調整など、ロータの固有周波数が組立ゲートによって影響を受ける可能性がある。
【先行技術文献】
【特許文献】
【０００３】
【特許文献１】米国特許第７１６８９１９号明細書
【発明の概要】
【０００４】
本明細書で開示される本発明の実施形態は、ブレードフック部を有するバケットダブテールを備えたブレードを含むことができるブレード装着システムの形態をとることができる。ロータ内に形成されるホイールダブテール溝は、バケットダブテールの形状と相補的な形状を有し、組立ゲートを含むことができる。バケットダブテールは、ブレードフック部が組立ゲートを通り抜ける第１の向きと、ブレードフック部がホイールダブテール溝によって保持される第２の向きとを有するように構成することができる。加えて、バケットダブテールは、組立ゲートにおいて第１の向きと第２の向きとの間で回転し、ホイールダブテール溝内の別の位置にて回転を抑えて拘束されるように構成することができる。
【０００５】
別の実施形態は、実質的に円筒形表面を有するロータを備えたロータブレード装着装置を含むことができる。ホイールダブテールは、実質的に円筒形表面を通ってロータ内に形成することができる。ホイールダブテールは、ロータ内の実質的に円周方向の溝と、ホイールネック肩部と、溝の開口における上側凹型区域とを含むことができる。ロータブレードは、該ロータブレードを支持し且つホイールダブテール内で該ホイールダブテールにより半径方向の移動を抑えて保持されるように構成されたバケットダブテールを含むことができる。バケットダブテールのブレードフック肩部は、ホイールネック肩部によってホイールダブテール溝と係合し且つこれから出ないように保持されるよう構成することができる。バケットダブテールの上側肩部は、ホイールネック肩部に少なくとも部分的に載るように構成することができる。組立ゲートは、ホイールダブテール溝の上側凹型区域に形成された切り欠き部を含むことができる。切り欠き部は、バケットダブテールの第１の向きでブレードフック肩部がホイールダブテール溝に挿入できるようにし、バケットダブテールが第２の向きに回転されたときには上側肩部が通過できるように構成することができる。
【０００６】
別の実施形態は、ロータ本体の実質的に円筒形表面と、実質的に円筒形表面において実質的に円周方向の溝を含むホイールダブテールとを含むロータの形態をとることができる。複数の実質的に同一のロータブレードは各々、ブレードフック部を備えたバケットダブテールを有することができる。各ブレードフック部は、ブレードフック部を溝に挿入することができる第１の向きと、ブレードフック部が溝内に保持され且つ該溝内で回転を抑えて保持される第２の向きとを有することができる。各ダブテールは、ブレードフック部においてブレードフック肩部と、バケットダブテールの上側部分において上側肩部とを含むことができる。対向するホイールネック肩部は、溝のホイールフック部と溝の上側部分との間で溝内に形成することができ、該ホイールネック肩部が、それぞれのブレードフック肩部を介して各ロータブレードのそれぞれのブレードフック部を保持するよう構成されている。上側凹型区域は、溝の先端部分に形成され、各バケットダブテールのそれぞれの上側肩部を回転を抑えて保持するよう構成することができる。溝内の組立ゲートは、バケットダブテールが溝内に保持される第２の向きに該バケットダブテールが回転されたときに、各バケットダブテールの上側肩部が通過できるよう構成することができる。
【０００７】
本発明の他の態様は、本明細書で記載される措置の一部又は全てを包含し及び／又は実施する、方法、システム、プログラム製品、及びこれら各々を利用し生成する方法を提供する。本開示の例示した態様は、本明細書に記載した問題点及び／又は記載していないその他の問題点を解決するように設計されている。
【０００８】
本発明のこれら及び他の特徴は、本発明の種々の態様を描いた添付図面を参照しながら、本発明の種々の態様の以下の詳細な説明を詳細に検討することによって完全に理解され認識されるであろう。
【図面の簡単な説明】
【０００９】
【図１】本明細書で開示される本発明の実施形態による、ロータの概略立面図。
【図２】本明細書で開示される本発明の実施形態による、ダブテール構成のホイールダブテールの概略断面図。
【図３】本明細書で開示される本発明の実施形態による、バケットの概略断面図。
【図４】本明細書で開示される本発明の実施形態による、組立ゲート以外の場所でのダブテール組立体の概略断面図。
【図５】本明細書で開示される本発明の実施形態による、組立ゲートでのダブテール組立体の概略断面図。
【図６】本明細書で開示される本発明の実施形態による、第１の向きにあり組立ゲートに挿入するよう位置付けられたバケットの図５の線６−６に沿った概略部分断面図。
【図７】本明細書で開示される本発明の実施形態による、図６のバケットの概略立面図。
【図８】本明細書で開示される本発明の実施形態による、第２の向きに回転された図６のバケットの概略平面図。
【図９】本明細書で開示される本発明の実施形態による、図８のバケットの概略立面図。
【図１０】本明細書で開示される本発明の実施形態による、第２の向きにある図６〜９のバケットの概略平面図。
【図１１】本明細書で開示される本発明の実施形態による、図１０のバケットの概略立面図。
【図１２】本明細書で開示される本発明の実施形態による、それぞれ第２の向きで配列された最終バケット以外の全てのバケットの概略立面図。
【図１３】本明細書で開示される本発明の実施形態による、第１の向きにある最終バケットの概略立面図。
【図１４】本明細書で開示される本発明の実施形態による、第２の向きに向けて回転されている、図１３の最終バケットの概略立面図。
【図１５】本明細書で開示される本発明の実施形態による、第２の向きにある図１３〜１４の最終バケットの概略立面図。
【図１６】本明細書で開示される本発明の実施形態による、間隔を置いて配置された根元を備えたそれぞれ第２の向きにある図６〜１５のバケットの概略立面図。
【図１７】本明細書で開示される本発明の実施形態による、隣接するバケットダブテール間に挿入されるシムを備えた、図１６のバケットの概略平面図。
【図１８】本明細書で開示される本発明の実施形態による、図１７のバケットの概略立面図。
【発明を実施するための形態】
【００１０】
本発明の図面は縮尺通りではない点に留意されたい。当該図面は、本発明の典型的な態様のみを描くことを意図しており、従って、本発明の範囲を限定するものとみなすべきではない。図面では、同じ参照符号は、複数の図面にわたり同じ要素を示している。
【００１１】
この詳細な説明は、例証として図面を参照しながら、本発明の利点及び特徴と共に例示的な実施形態を説明している。
【００１２】
上述のように、本発明の態様は、ロータブレード構成及び組み立て方法を提供する。
【００１３】
図１を参照すると、本明細書で開示される本発明の実施形態は、ロータ１００のブレードフック構成又はダブテール組立体３００に堅固に保持されるバケットダブテール２１０を有する複数のブレード又はバケット２００を備えたロータ１００を含む。組立ゲート１３０は、ブレードフック構成又はダブテール組立体３００に沿った所定位置にて対向する弓形切り欠き部１３２を形成することなどによって、ブレードフック構成又はダブテール組立体３００に形成することができる。ロータ１００は、実質的に円筒形表面を含むことができ、環状本体、円筒形本体、又は他の好適な本体の表面とすることができ、ロータ１００はホイールと呼ばれる場合もある。
【００１４】
ブレードフック構成又はダブテール組立体３００の断面を示す図２で分かるように、実質的に円周方向のダブテール溝１２０は、ダブテール溝１２０の下側部分と上側部分との間に形成されたホイールネック肩部１２４を含むことができる。実施形態では、対向するホイールネック肩部１２４が含まれ、嵌合するバケットネック幅よりも僅かに幅広のギャップ１２６を形成することができる。また、ホイールネック肩部１２４の上方の上側凹型区域１２８も設けられ、以下で説明するようにバケットダブテール２１０との相互作用を付加することができる。
【００１５】
図３において、バケットダブテール２１０及びブレード本体２２０を含むバケット又はブレード２００の１つの実施例の断面が分かる。バケットダブテール２１０のバケットフック部２１２は、該ブレードフック部２１２が特定の向きにあるときに、ブレードフック構成又はダブテール組立体３００のホイールネック肩部１２４と相互作用するよう構成されたブレードフック肩部２１４を含むことができる。ブレードフック肩部２１４は、ホイールネック肩部１２４と係合し、バケットダブテール２１０及び対応するロータブレードを半径方向の動き又はダブテール溝１２０から外に出る動きを抑えて保持できるようにすることができる。シャフト又はネック部２１６は、ブレードフック部２１２からバケットダブテール２１０によって支持されるブレード本体２２０に向けて延びることができる。実施形態では、バケットダブテール２１０は、該バケットダブテール２１０の上側部分において上側肩部又はバケットプラットフォーム２１８を含み、バケットダブテール２１０を所定位置に固定するためなど、ブレードフック構成又はダブテール組立体３００の上側凹型区域１２８と相互作用するよう構成することができる。また、図３で分かるように、ブレード本体２２０は、バケットダブテール２１０の上部に取り付けられ又は形成されたベース２２２と、先端２２４とを含むことができる。ブレード本体２２０は更に、ベース２２２と先端２２４との間に翼形部分２２６を含むことができ、この翼形部分２２６は、ブレード効率を改善するためなど、必要及び／又は適切であればブレード本体２２０の長さにわって変わることができる輪郭を有することができる。実施形態では、先端２２４は、隣接するブレード２２０の隣接カバーブロック２２８を組み付け状態に係合するよう構成されたカバーブロック２２８を支持又は保持することができる。
【００１６】
図４は、組立ゲート１３０以外の位置におけるダブテール組立体３００の断面図を示す。図４で分かるように、ブレードフック肩部２１４は、ブレードフック肩部２１４の内寄り半径方向肩部又はベースにて係合している。この係合により、バケットダブテール２１０のホイールダブテール溝１２０から外への半径方向の動きが阻止される。加えて、上側肩部又はバケットプラットフォーム２１８は、上側凹型区域１２８と相互作用し、バケットを軸方向荷固定すると共に、バケットのツイスト回転が阻止される。ネック部２１６は、バケットプラットフォーム２１８をブレードフック２１２に接続する。
【００１７】
図５は、組立ゲート１３０の一実施例の実施形態によるダブテール組立体３００の断面を示す。図５で分かるように、組立ゲート１３０は、対向する弓形切り欠き部１３２を含むことができる。また図５で分かるように、弓形切り欠き部１３２の特定の構成は、ブレードフック肩部２１４の完全性に対するごく僅かな影響しかないが、ダブテール溝１２２に沿った他の何れかの位置と同程度の組立ゲート１３０でのホイールネック肩部１２４とブレードフック２１４との係合を提供する。また、実施形態によるロータの態様の追加の図面を提供する図６〜１１を参照することができる。
【００１８】
図６〜１１で分かるように、バケットダブテール２１０は、組立ゲート１３０及びダブテール溝１２０に対して第１の向き２３０を有するように構成することができ、該溝に組立ゲート１３０を通ってバケットダブテール２１０を挿入することができる。ブレードフック肩部２１４がホイールネック肩部１２４を乗り越える点、及び／又はバケットプラットフォーム２１８が上側凹型区域１２８を係合する点など、バケットダブテール２１０が所定深さに挿入されたときに、バケットダブテール２１０は、図８及び９で分かるように回転して、図１０及び１１に示す組立ゲート１３０に対して第２の向き２４０に向けられ、ここでバケットダブテール２１０は、組立ゲート１３０を通過せず、ブレードフック構成又はダブテール組立体３００によって保持することができる。従って、第１の向き２３０と第２の向き２４０との間で、含まれる種々の要素の幾何形状に応じた角度オフセットがある。第２の向き２４０では、バケットダブテール２１０は、ダブテール溝１２０から外への又はダブテール溝１２０から出る動きを抑えて保持又は拘束される。加えて、バケットプラットフォーム２１８及び上側凹型区域１２８の側部間の相互作用の結果として、バケット２００は、組立ゲート１３０を含む位置及び列の周りの他の全ての位置でダブテール溝１２０における回転を抑えて拘束される。開口又は切り欠き部１３２は、最終又は最後のバケットピッチよりも短い接線方向長さを特徴として備え、従って、組立ゲート１３０の最終又は最後の位置における肩部の軸方向及び／又はツイスト拘束能力をあまり損なわないようにすることができる。
【００１９】
図６は、バケットダブテール２１０に利用できる構成の１つの実施例を詳細に示す。図示のように、上側肩部又はバケットプラットフォーム２１８は、長さＬ、幅Ｗ、対向するコーナー間の対角線Ｄ、及び２つの隣接する側部間の角度θを含む、平行四辺形断面を有することができる。加えて、ブレードフック肩部２１４はまた、それぞれの長さ、幅、対角線、及び角度を備えた平行四辺形断面を有することができる。
点は理解されたい。また、各断面に対して第２の対角線及び第２の角度が存在するが、便宜上、以下の実施例の各断面においては１つのみが使用されている点を理解されたい。加えて、平行四辺形断面が利用されているが、実施形態の範囲内で他の形状を用いてもよい。
【００２０】
実施形態では、ブレードフック肩部２１４は、第１の向き２３０でギャップ１２６と少なくとも同じ狭さの幅を有し、ダブテール溝１２０へのバケットダブテール２１０の挿入を可能にするよう構成することができる。実施形態における上側肩部２１８は、第２の向き２４０で上側凹型区域１２８による回転を抑えて保持されるように選択された長さ及び角度を有するように構成することができる。上側肩部又はバケットプラットフォーム２１８はまた、実施形態ではギャップ１２６よりも狭い幅を有することができる。ブレードフック肩部２１４は、第２の向き２４０でブレードフック肩部２１４によるダブテール溝１２０から外への移動を抑えて保持されるが、第１の向き２３０から第２の向き２４０への回転がブレードフック肩部２１４により妨げられないように選択された長さ及び角度を有するように構成することができる。バケットダブテール２１０はダブテール溝１２０に沿ってどの場所にも挿入できるが、組立ゲート１３０においてのみバケットダブテール２１０を第２の向き２４０に回転させることができるものとすることができる。
【００２１】
上述のように、組立ゲート１３０は、上側凹型区域１２８のような弓形切り欠き部１３２を含み、バケットダブテール２１０の回転に対処することができる。平行四辺形断面が上側肩部２１８に使用される実施形態では、弓形切り欠き部１３２は、上側肩部２１８の対角線Ｄに等しい直径を有する円の１８０度反対にされ、上側凹型区域１２８間の中心に位置することができる。より小さな対角線の上側凹型区域１２８が使用される場合、上側肩部２１８の端部により第２の向き２４０を過ぎる回転を阻止することができる。第１の向き２３０と第２の向き２４０との間のオフセットは、角度θに等しいとすることができる。
【００２２】
図示の実施例において、第１の向き２３０と第２の向き２４０との間のオフセットは、上側肩部２１８の断面の隣接する側部間の最小角度θに等しいとすることができる。第１の向き２３０は、ブレードフック肩部２１４の長い側面がダブテール溝１２０の壁と平行である向きとすることができるが、これは、ブレードフック肩部２１４の幅がギャップ１２６よりもどれ程小さいかに応じて変わる可能性がある。角度θが例えば６５度である場合、６５度の回転により、バケットダブテール２１０を第２の向き２４０に配置することができ、これにより上側肩部２１８の短い側部を上側凹型区域の壁と平行にし、実施形態では該壁と係合させることができる。従って、６５度の小さな角度を有する平行四辺形断面の場合の第１の向き２３０と第２の向き２４０との間のオフセットは、６５度とすることができる。
【００２３】
各バケット２００は、第２の向き２４０でダブテール溝１２０に沿って所望の位置に滑動することができ、また、別のバケット２００を挿入することができる。これは、最終の所望のバケット２００以外の全てがダブテール溝１２０に沿って挿入されて位置付けられるまで繰り返すことができる。図１２で分かるように、最終バケット２００以外の全てが挿入されたときには、既に挿入されたバケット２００を押し付けて組立ゲート１３０の外に出し、最終バケット２００を挿入できるようにすることができる。上記の実施例と同様に、最終バケット２００は、図１４及び１５で分かるように、第１の向き２３０から第２の向き２４０に向けて回転させることができる。第２の向き２４０になると、最終バケット２００及び他の全てのバケットは、図１６で分かるようにバケットダブテール２１０が実質的に均等に離間して配置されるように再配置することができ、その結果、ギャップ２４５が隣接するバケットダブテール２１０間に現れる。バケット２００は、図１７及び１８で示すようにバケットダブテール２１０間のギャップ２４５内に挿入されるシム２５０を用いるなどして固定することができる。実施形態では、隣接ブレード２００のカバーブロック２２８は、締まり嵌めなどで共に強制的に合わされてカバー２３０を形成することができる。例えば、各カバーブロック２２８は、第２の向き２４０で各カバーブロック２２８が隣接するカバーブロック２２８と係合するようなサイズにされた菱形又は平行四辺形断面で形成され、最終バケット２００が第２の向き２４０に回転されたときに締まり嵌めを構築できる。バケット２００は、この実施例では全てが所定位置にあるときに固定されるが、バケット２００は、位置決めされたとき、又は全てが位置決めされたとき、或いは必要な及び／又は適切とすることができる他の方式で固定されてもよい。
【００２４】
上側凹型区域１２８に形成された組立ゲート１３０では、ホイールネック肩部１２４は、ダブテール溝１２０全体にわたりそのままで実質的に均一である。従って、実施形態は、既存の一部の解決策で必要とされるホイールネック肩部１２４における切り欠き部及び／又は組立ゲート１３０での特別なブレード取付構成を必要としない。これは、例えば、ロータ１００の強度及び構造的一体性を強化することができ、また、ロータ１００内の全てのロータブレード２００を実質的に同一にすることができるが、既存の解決策では、組立ゲートに特別なロータブレード組立体を必要とすることができる。加えて、組立ゲート１３０は、ロータ１００のバランス調整及び固有周波数に実質的にほとんど影響を及ぼさないよう、或いは組立ゲート１３０の存在に対する補正が容易に行えるようなサイズにすることができる。更に、実施形態による構成は、全て実質的に同一のバケット２００を使用でき、これにより組立ゲートで特別なバケットを必要とする典型的な構成に伴う製造、取り扱い、エンジニアリング、設計、及びその他のコストを低減できる。
【００２５】
限られた数の実施形態のみに関して本発明を詳細に説明してきたが、本発明はこのような開示された実施形態に限定されないことは理解されたい。むしろ、本発明は、上記で説明されていない多くの変形、改造、置換、又は均等な構成を組み込むように修正することができるが、これらは、本発明の技術的思想及び範囲に相応する。加えて、本発明の種々の実施形態について説明してきたが、本発明の態様は記載された実施形態の一部のみを含むことができる点を理解されたい。従って、本発明は、上述の説明によって限定されるとみなすべきではなく、添付の請求項の範囲によってのみ限定される。
【符号の説明】
【００２６】
１００  ロータ
１２０  ダブテール溝
１２４  ホイールネック肩部
１２６  ギャップ
１２８  上側凹型区域
１３０  組立ゲート
１３２  弓形切り欠き部
２００  ブレード又はバケット
２１０  バケットダブテール
２１２  ブレードフック部
２１４  ブレードフック肩部
２１８  上側肩部又はバケットプラットフォーム
２２０  ブレード本体
２２２  ベース
２２４  先端
２２６  翼形部分
２２８  カバーブロック
２３０  第１の向き
２４０  第２の向き
２４５  ギャップ
２５０  シム
３００  ブレードフック装置又はダブテール組立体
θ  角度
【図１】
2013139769.tif 000003
【図２】
2013139769.tif 000004
【図３】
2013139769.tif 000005
【図４】
2013139769.tif 000006
【図５】
2013139769.tif 000007
【図６】
2013139769.tif 000008
【図７】
2013139769.tif 000009
【図８】
2013139769.tif 000010
【図９】
2013139769.tif 000011
【図１０】
2013139769.tif 000012
【図１１】
2013139769.tif 000013
【図１２】
2013139769.tif 000014
【図１３】
2013139769.tif 000015
【図１４】
2013139769.tif 000016
【図１５】
2013139769.tif 000017
【図１６】
2013139769.tif 000018
【図１７】
2013139769.tif 000019
【図１８】
2013139769.tif 000020
【外国語明細書】
2013139769000001.pdf